(57)【特許請求の範囲】
【請求項１】
操作部を有する本体、および、所定の情報を表示する表示面を有する表示部からなる情報処理装置であって、
前記表示部は、
前記表示面の下方に設けられる光源部と、
前記光源部から出射される光を上方に導光し、導光した前記光を前記表示面および上方に出射する導光板と、
前記導光板により導光された前記光の一部である、上方に出射された前記光を反射する、前記表示面の上方に設けられる反射板と
を備え、
前記反射板は、前記導光板により導光され、上方に出射された前記光を反射して前記操作部を照明する
ことを特徴とする情報処理装置。
【請求項２】
前記反射板を回動自在に支持する反射板ヒンジ部をさらに備える
ことを特徴とする請求項１に記載の情報処理装置。
【請求項３】
前記反射板ヒンジ部の角度により、前記反射板は、前記導光板により導光された前記光の一部を前記表示面にさらに照射し、
前記表示面は、照射された前記光の一部を反射して前記操作部を照明する
ことを特徴とする請求項２に記載の情報処理装置。
【請求項４】
前記表示面は、液晶パネルであり、
前記表示面は、前記導光板によって導光された前記光によって照明する
ことを特徴とする請求項１に記載の情報処理装置。
【発明の詳細な説明】
【０００１】
【発明の属する技術分野】
本発明は、情報処理装置に関し、特に、例えば、液晶表示装置を照射するバックライトの光の一部を利用して操作部を照明するようにした情報処理装置に関する。
【０００２】
【従来の技術】
図１および図２は、従来のノートブック型パーソナルコンピュータ（以下、ノートブック型パーソナルコンピュータを単にノートパソコンと称する）１の構成例を示す図である。図１は、ノートパソコン１の外観図を示しており、図２は、ノートパソコン１の部分拡大断面図を示している。
【０００３】
ノートパソコン１は、マザーボードやハードディスクドライブ等を内蔵した偏平板状の本体１１に、液晶表示装置等で構成される薄型の表示部１２が、ヒンジ部１３を介して回動自在に連結されている。
【０００４】
表示部１２は、液晶パネル（LCD：Liquid Crystal Display）１５、外枠１６、並びに、冷陰極蛍光灯２１、導光板２２、拡散シート２３、およびリフレクタ２４からなるバックライトユニット２０で構成されている。この他、図示は省略するが、バックライトユニット２０には、レンズシートや反射シートなども設けられる。
【０００５】
バックライト２０の冷陰極蛍光灯２１からの照射光は、導光板２２を介して上方に導光され、液晶パネル１５の全面に照射されるように、拡散シート２３によって拡散される。このとき冷陰極蛍光灯２１からの照射光が、効率良く上方に導光されるように、冷陰極蛍光灯２１の周囲には、その側面および下面を囲うようにして、リフレクタ２４が形成される。
【０００６】
このように、液晶パネル１５は、自己発光素子ではないため、バックライトユニット２０により裏面から均一に照射される。
【０００７】
使用者２は、ノートパソコン１の使用時において、表示部１２を本体１１に対して展開することにより、本体１１の上面に設けられたキーボード１４などの操作部を操作可能な状態にするとともに、表示部１２を視認可能な状態にすることができる。表示部１２の液晶パネル１５は、バックライトユニット２０によって照射され、文字または図形などを表示する。
【０００８】
このとき、表示部１２の液晶パネル１５から出射される光（バックライト２０から液晶パネル１５を介して出射される光）は、使用者２に対して有効に導光されるように、図中においてほぼ水平方向に出射されるようになされている。
【０００９】
このように、液晶パネル１５から出射される光が、主に使用者２の方向に導光されることによって、使用者２は、液晶パネル１５の表示が明るく見やすいが、暗い環境（例えば、夜に照明を消した部屋、プロジェクタを使用した会議中の室内、あるいは、夜間飛行機で移動中の機内など）でノートパソコン１を使用する場合、図１に示されるように、キーボード１４などの操作部が暗部になってしまい、操作し難かった。
【００１０】
そこで、例えば、特開２００１−６７１４５号公報には、液晶表示装置の下方にバックライトの光の一部を導くための導光装置を設け、操作部を照射する方法が提案されている。
【００１１】
【発明が解決しようとする課題】
しかしながら、上記公報の発明は、下方に設けられている導光装置が操作部の近傍に配置されており、操作の邪魔になるだけでなく、導光装置から出射された光は、直接、使用者の目に入りやすく操作し難い課題があった。
【００１２】
また、導光装置から照射される光は、操作部をほぼ均一に照射することが困難である課題があった。
【００１３】
本発明はこのような状況に鑑みてなされたものであり、操作性を損なうことなく、バックライトの光を利用して操作部を均一に照明することができるようにするものである。
【００１４】
【課題を解決するための手段】
本発明の情報処理装置は、操作部を有する本体、および、所定の情報を表示する表示面を有する表示部からなる情報処理装置であって、表示部は、表示面の下方に設けられる光源部と、光源部から出射される光を上方に導光し、導光した光を表示面および上方に出射する導光板と、導光板により導光された光の一部である、上方に出射された光を反射する、表示面の上方に設けられる反射板とを備え、反射板は、導光板により導光され、上方に出射去れた光を反射して操作部を照明することを特徴とする。
【００１５】
反射板を回動自在に支持する反射板ヒンジ部をさらに設けることができる。
【００１６】
反射板ヒンジ部の角度により、反射板は、導光板により導光された光の一部を表示面にさらに照射し、表示面は、照射された光の一部を反射して操作部を照明することができる。
【００１７】
表示面は、液晶パネルであるものとすることができ、表示面は、導光板によって導光された光によって照明することができる。
【００１８】
本発明の情報処理装置においては、導光板によって、表示面の下方に設けられる光源部から出射される光が上方に導光され、表示面および上方に出射され、表示面の上方に設けられる反射板によって、導光された光の一部である、上方に出射された光が反射されて操作部が照明される。
【００２５】
【発明の実施の形態】
以下、図を参照して、本発明の実施の形態について説明する。
【００２６】
まず、図３および図４を参照して、本発明の実施の形態において適用されるTFT（Thin Film Transistor）方式の液晶表示モジュールの構成例について説明する。図３は、液晶表示モジュールの分解斜視図であり、図４は、液晶表示モジュールの一部側面断面図である。
【００２７】
液晶表示モジュール（LCM）は、金属板からなる枠状のフレーム（上側ケース）４４、液晶表示パネル１５、およびバックライトユニット２０から構成されている。
【００２８】
液晶表示パネル１５は、画素電極および薄膜トランジスタ等が形成されるTFT基板としてのガラス基板７２と、対向電極やカラーフィルタ等が形成されるTFT基板としてのガラス基板７３とを、所定の間隙を隔てて重ね合わせ、その両基板間の周縁部近傍に枠状に設けたシール材（図示せず）により、両基板を貼り合わせるとともに、シール材の一部に設けた液晶封入口から両基板間のシール材の内側に液晶を封入、封止し、さらに、両基板の外側に偏光板７１，７４を貼り付けて構成される（図４）。
【００２９】
ガラス基板７３上には、半導体集積回路装置（IC）８１で構成される複数のドレインドライバおよびゲートドライバが搭載されている。このドレインドライバには、フレキシブルプリント配線基板４１を介して、駆動電源、表示データおよび制御信号が供給され、ゲートドライバには、フレキシブルプリント配線基板４２を介して、駆動電源および制御信号が供給される。
【００３０】
これらフレキシブルプリント基板４１，４２は、バックライトユニット２０の後方に設けられている駆動回路基板４３に接続される。
【００３１】
なお、図４において、半導体集積回路装置８１は、液晶パネル１５の上側（図６に示されるように、表示部１２を展開した状態で上側）に実装されているが、勿論、下側に配置するようにしてもよい。また、半導体集積回路装置８１は、ガラス基板７３上に直接実装されているが、TCP（Tape Carrier Package）で実装するようにしてもよい。
【００３２】
また、複数のドレインドライバおよびゲートドライバが搭載されている液晶表示パネル１５が、表示窓を有するフレーム４４とバックライトユニット２０との間に収納されて構成される。そのフレーム４４の表示窓の領域が、液晶表示モジュールの表示領域を構成し、この表示領域以外の領域、すなわち、フレームの表示窓の周囲の領域を、通常、額縁と称する。
【００３３】
バックライトユニット２０は、拡散シート２３−１、レンズシート４６、拡散シート２３−２、楔形（側面形状が台形）の導光板２２、反射シート４７、および冷陰極蛍光灯２１が、図３に示される順序で、側壁を有し、枠状に形成されたモールド５０に嵌め込まれて構成される。
【００３４】
図４に示されるように、モールド５０の側壁に開口部５０Ａが形成され、フレーム４４の開口部５０Ａと対向する位置には、開口部４４Ａが形成される。冷陰極蛍光灯２１は、モールド５０の開口部５０Ａおよびフレーム４４の開口部４４Ａと反対側（図６に示されるように、表示部１２を展開した状態で下側）に配置される。
【００３５】
従って、後述するように、モールド５０の開口部５０Ａおよびフレーム４４の開口部４４Ａを介して導光される光は、冷陰極蛍光灯２１からの照射光の中で、導光板２２を伝搬して、導光板２２から出射される光である。
【００３６】
また、拡散シート２３−１の裏面に反射体８２を貼り付けることにより、モールド４４の開口部４４Ａの上面での光損失を防止するようになされている。
【００３７】
冷陰極蛍光灯２１の一端は、ケーブル５１を介してコネクタ４９の一方に接続され、冷陰極蛍光灯２１の他端は、ゴムブッシュ４８およびケーブル５２を介してコネクタ４９の他方に接続されている。コネクタ４９は、図示せぬ駆動部に接続され、冷陰極蛍光灯２１に電力を供給するようになされている。
【００３８】
図５乃至図８は、本発明を適用したノートパソコン１の構成例を示す図である。図５は、ノートパソコン１の表示部１２を本体１１に対して開いた状態を示す外観斜視図である。図６は、図５のノートパソコン１のＡ−Ａ線の一部側面断面図である。図７は、図６の照射部材１００付近の部分拡大図である。図８は、図５の表示部１２に設けられている、ツマミ９１および反射板１０３付近の部分拡大図である。なお、従来の場合と対応する部分には同一の符号を付してあり、その説明は適宜省略する。
【００３９】
表示部１２の内部には、図３および図４を用いて上述した液晶表示モジュールが搭載されている。また表示部１２には、後述するように、導光板２２から出射された光を所望の方向に導光するための、反射板ヒンジ部１０１、反射板１０２、反射板１０３、および拡散板１０４などで構成される照射部材１００が設けられている。
【００４０】
反射板ヒンジ部１０１は、反射板ヒンジ部１０１−１，１０１−２で構成されており、反射板１０２が、反射板ヒンジ部１０１−１に連結されるとともに、反射板１０３が、反射板ヒンジ部１０１−２を介して回動自在に連結される。
【００４１】
反射板１０２は、折り曲げ部１０２−３を介して所定の角度に折り曲げて連続に形成された平板状の反射板１０２−１，１０２−２で構成されており、反射板１０２−１が外枠１６と接合されるとともに、反射板１０２−２の面１０２−２Ｂが反射板ヒンジ部１０１−１と連結される。すなわち、反射板１０２は、外枠１６とは別体で形成されており、接着剤を用いた接着あるいはその他の方法により、反射板１０２−１と外枠１６が接合され、外枠１６に支持固定される。
【００４２】
また、反射板１０２が、反射板ヒンジ部１０１に連結されるとともに外枠１６に支持固定されたとき、反射板１０２−１は、図６および図７においてほぼ垂直となり、反射板１０２−２は、反射板ヒンジ部１０１を介して裏面側に所定の角度だけ斜め下方を向くように配置される。
【００４３】
反射板１０３は、ほぼ平板状で構成されており、その面１０３Ｂが反射板ヒンジ部１０１−２と連結される。これにより、反射板１０３は、図６および図７において、反射板ヒンジ部１０１を介して表示面（正面）側に所定の角度だけ斜め下方を向くように配置される。
【００４４】
また、反射板１０３には、導光板２２を介して導光された光が照射される面１０３Ａに、拡散板１０４が接合されている。これにより、導光板２２を介して導光された光が、反射板１０２−２の面１０２−２Ａに照射され、その面１０２−２Ａで反射された光が反射板１０３の面１０３Ａの拡散板１０４に照射され、拡散板１０４で効率良く拡散された光が、キーボード１４などの操作部を均一に照明する。なお、面１０３Ａに拡散板１０４を接合させるだけでなく、例えば、面１０３Ａに、直接、拡散を施すようにしてもよい。
【００４５】
図８に示されるように、ツマミ９１が矢印Ａ方向に回動されると、反射板１０３は、その回動に連動して、反射板ヒンジ部１０１を介して表示部１２に向う方向に回動され、矢印Ｂ方向に回動されると、反射板ヒンジ部１０１を介して表示部１２から離れる方向に回動される。
【００４６】
次に、図９を参照して、反射板ヒンジ部１０１とツマミ９１との取り付けについて説明する。図９Ａは、ツマミ９１と反射板ヒンジ部１０１が軸棒１１１を介して取り付けられた様子を示しており、図９Ｂは、その分解斜視図である。
【００４７】
軸棒１１１は、ツマミ９１に支持固定されている。反射板ヒンジ部１０１は、反射板ヒンジ部１０１−１および１０１−２で構成されている。
【００４８】
反射板ヒンジ部１０１−１には、反射板ヒンジ部１０１−２と係合するための係合部１０１−１１，１０１−１２、および溝部１０１−１３が形成されており、さらに係合部１０１−１１，１０１−１２には、孔部１０１−１１Ａ，１０１−１２Ａがそれぞれ形成されている。
【００４９】
反射板ヒンジ部１０１−２には、反射板ヒンジ部１０１−１と係合するための係合部１０１−２０が形成されており、さらに係合部１０１−２０には、孔部１０１−２１，１０１−２２が形成されている。なお、孔部１０１−２１，１０１−２２は、実際には連続して形成されており、係合部１０１−２０は、筒状の形状とされる。
【００５０】
そして、反射板ヒンジ部１０１−１の溝部１０１−１３に、反射板ヒンジ部１０１−２の係合部１０１−２０が係合された後、ツマミ９１に支持固定されている軸棒１１１が、反射板ヒンジ部１０１−１の係合部１０１−１１の孔部１０１−１１Ａに軸通され、反射板ヒンジ部１０１−２の係合部１０１−２０の孔部１０１−２１，１０１−２２に軸通され、さらに、反射板ヒンジ部１０１−１の係合部１０１−１２の孔部１０１−１２Ａに軸通される。
【００５１】
反射板ヒンジ部１０１−２の係合部１０１−２０の孔部１０１−２１，１０１−２２は、軸通された軸棒１１１と当接するように、軸棒１１１の直径とほぼ同径とされ、その内面には、接着材が塗布されており、軸通された軸棒１１１が接合されて支持固定される。一方、反射板ヒンジ部１０１−１の係合部１０１−１１，１０１−１２の孔部１０１−１１Ａ，１０１−１２Ａは、軸通された軸棒１１１を回動自在に支持できるように、軸棒１１１の直径より若干大きめの径とされる。
【００５２】
これにより、ツマミ９１が回転軸を中心に所定方向（図８において、矢印Ａ方向または矢印Ｂ方向）に回動されると、その回動に連動して、反射板ヒンジ部１０１−２のみが回動され、後述するように、反射板ヒンジ部１０１−２に連結されている反射板１０３が所望の角度に設定される。
【００５３】
次に、図１０の表示部１２の外観斜視図を参照して、照射部材１００の実装例について説明する。
【００５４】
同図に示されるように、軸棒１１１には、反射板ヒンジ部１０１Ａ乃至１０１Ｄが支持固定されており、反射板ヒンジ部１０１Ａ−２乃至１０１Ｄ−２には、反射板１０３が連結されている。また、図示せぬ反射板ヒンジ部１０１Ａ−１乃至１０１Ｄ−１には、反射板１０２が連結されており、その反射板１０２は、外枠１６に支持固定されている。
【００５５】
ツマミ９１が所定方向に回動されると、その回動に連動して、反射板ヒンジ部１０１Ａ−２乃至１０１Ｄ−２が回動されるとともに、反射板ヒンジ部１０１Ａ−２乃至１０１Ｄ−２に連結されている反射板１０３も回動される。すなわち、反射板１０３は、ツマミ９１の回動に連動して回動され、所望の角度に設定される。
【００５６】
なお、同図においては、４個の反射板ヒンジ部１０１が実装されているが、その数は任意とされる。
【００５７】
次に、図１１を参照して、バックライトユニット２０からの光を利用してキーボード１４などの操作部を照明する動作について説明する。
【００５８】
例えば、使用者２は、ツマミ９１を図８において矢印Ｂ方向に回動させて、反射板ヒンジ部１０１−２および反射板１０３を図１１Ａに示されるような角度に設定した場合、冷陰極蛍光灯２１から照射された光は、導光板２２によって上方に導光され、液晶パネル１５の全面に照射されるとともに、その光の一部がモールド５０の開口部５０Ａおよびフレーム４４の開口部４４Ａを介して上方に出射され、反射板ヒンジ部１０１−１に連結されている反射板１０２−２の面１０２−２Ａに照射される。
【００５９】
面１０２−２Ａで反射された光は、反射板ヒンジ部１０１−２に連結されている反射板１０３の面１０３Ａに接合されている拡散板１０４に照射される。そして、拡散板１０４に照射された光は、効率良く拡散されて、キーボード１４などの操作部を均一に照明する。
【００６０】
なお、光の性質上、反射板１０２−２の面１０２−２Ａに照射（入射）され反射される光は、入射角と反射角が同じ角度とされる。
【００６１】
このように、反射板１０２を外枠１６に支持固定し、反射板１０３を反射板ヒンジ部１０１を介して回動自在にすることにより、ノートパソコン１を操作する環境（例えば、外からの光により表示部１２の液晶パネル１５が反射してしまうのを避けるように表示部１２をキーボード１４が配置されている方向に傾けているような場合、あるいは、使用者２の操作時の姿勢が異なる場合など）に応じて、使用者２は、ツマミ９１を回動させて反射板１０３を所定角度に変更することができ、キーボード１４などの操作部を確実に照明することができる。
【００６２】
また例えば、使用者２は、ツマミ９１を図８において矢印Ａ方向に回動させて、反射板ヒンジ部１０１−２および反射板１０３を図１１Ｂに示されるような角度に設定した場合、図１１Ａを用いて説明したように、冷陰極蛍光灯２１から照射された光は、導光板２２によって上方に導光され、液晶パネル１５の全面に照射されるとともに、その光の一部がモールド５０の開口部５０Ａおよびフレーム４４の開口部４４Ａを介して上方に出射され、反射板ヒンジ部１０１−１に連結されている反射板１０２−２の面１０２−２Ａに照射される。
【００６３】
面１０２−２Ａで反射された光は、反射板ヒンジ部１０１−２に連結されている反射板１０３の面１０３Ａに接合されている拡散板１０４に照射され、拡散板１０４で拡散された光が、液晶パネル１５に照射される。そして、液晶パネル１５で反射された光は、キーボード１４などの操作部を均一に照明する。
【００６４】
このように、反射板１０３の設置角度によっては、反射板１０３の面１０３Ａに接合されている拡散板１０４で拡散された光が液晶パネル１５に照射され、その液晶パネル１５でさらに反射されて、キーボード１４などの操作部を照明する場合がある。しかしながら、液晶パネル１５で反射された光は、操作部への入射角が大きいため、使用者２の目に入る恐れはない。
【００６５】
従って、照射部材１００は、反射板１０３の設置角度にかかわらず、バックライト２０からの光を所望の方向に導光し、操作部を容易に照明することができる。
【００６６】
また、以上においては、冷陰極蛍光灯２１を液晶パネル１５の下方（図６に示されるように、表示部１２を展開した状態で下側）に配置するようにしたが、上方に配置することも可能である。
【００６７】
図１２は、冷陰極蛍光灯２１を液晶パネル１５の上方に配置した場合の構成例を示す図である。同図に示されるように、冷陰極蛍光灯２１が液晶パネル１５の上方に配置される以外は、図６に示した構成例と同様であるため、その説明は適宜省略する。
【００６８】
液晶パネル１５の上方に配置された冷陰極蛍光灯２１からの照射光は、導光板２２によって下方に導光され、液晶パネル１５の全面に照射される。また、リフレクタ２４から透過する光が、反射板ヒンジ部１０１−１に連結されている反射板１０２−２の面１０２−２Ａに照射される。
【００６９】
面１０２−２Ａで反射された光は、反射板ヒンジ部１０１−２に連結されている反射板１０３の面１０３Ａに接合されている拡散板１０４に照射される。そして、拡散板１０４に照射された光は、効率良く拡散されて、キーボード１４などの操作部に均一に照明する。
【００７０】
図１３は、冷陰極蛍光灯２１を液晶パネル１５の上方に配置した場合の他の例の構成例を示す図である。同図に示されるように、反射板１０２−１，１０２−２は、折り曲げ部１０２−３を介してほぼ直角となるように折り曲げられており、冷陰極蛍光灯２１の周囲を覆うリフレクタ２４には、反射板１０３が配置されている方向に開口部２４Ａが形成されている。
【００７１】
液晶パネル１５の上方に配置された冷陰極蛍光灯２１からの照射光の一部が、リフレクタ２４に形成された開口部２４Ａから出射され、反射板ヒンジ部１０１−１に連結されている反射板１０２−２の面１０２−２Ａに照射される。そして、面１０２−２Ａで反射された光は、反射板ヒンジ部１０１−２に連結されている反射板１０３の面１０３Ａに接合されている拡散板１０４に照射される。そして、拡散板１０４に照射された光は、効率良く拡散されて、キーボード１４などの操作部を均一に照明する。
【００７２】
このように、冷陰極蛍光灯２１を液晶パネル１５の下方または上方のいずれに配置した場合においても、照射部材１００は、効率良く、キーボード１４などの操作部を照明することができる。
【００７３】
また、図１３においては、リフレクタ２４の反射板１０３が配置されている方向に冷陰極蛍光灯２１からの照射光を効率良く出射するための開口部２４Ａを形成するようにしたが、勿論、図１２のリフレクタ２４においても、開口部２４Ａを形成し、冷陰極蛍光灯２１からの照射光を効率良く出射するようにしてもよい。
【００７４】
なお、図１２および図１３に示したような構成例の場合、液晶表示モジュールのモールド５０およびフレーム４４に、開口部５０Ａ，４４Ａを設ける必要はない。
【００７５】
また、以上においては、反射板１０２は、外枠１６と別体で形成するようにしたが、外枠１６と一体で構成するようにしてもよい。
【００７６】
図１４は、反射板１０２と外枠１６を一体にした場合の構成例を示す図である。同図に示されるように、外枠１６は、折り曲げ部１６−３を介して所定の角度に折り曲げて連続に形成された外枠１６−１，１６−２で構成されており、外枠１６−２の面１６−２Ｂが反射板ヒンジ部１０１−１と連結される。また、外枠１６−２の面１６−２Ａには、反射板１３１が接合されている。これにより、図６に示した構成例と同様になる。
【００７７】
さらに、図１５に示されるように、表示部１２と本体１１とを閉じた状態において、照射部材１００が、ノートパソコン１の厚み方向に重ならないようにすることもできる。図１５Ａは、ノートパソコン１の表示部１２を本体１１に対して開いた状態を示す図であり、図１５Ｂは、図１５Ａの図中Ａ付近の一部拡大断面図であり、図１５Ｃは、ノートパソコン１を閉じた状態を示す図である。
【００７８】
表示部１２の上方には、照射部材１００を収納するための照射部材収納部１４１が形成されているとともに、本体１１の面１１Ａと当接するように形成されている（図１５Ｃ）。すなわち、表示部１２の内部に照射部材１００を実装することによってノートパソコン１の厚み方向が大きくならないように、表示部１２は、本体１１より、図１５Ａにおいて、垂直方向に若干大きくなるように構成され、その上方が照射部材１００を収納するための照射部材収納部１４１とされる。
【００７９】
これにより、ノートパソコン１が閉じられた状態において、ノートパソコン１の薄型化を維持しつつ、照射部材１００を実装することができる。
【００８０】
以上のように、照射部材１００を表示部１２の上方に配置することによって、操作性を損なうことなくキーボード１４などの操作部を照明することができる。また、反射板１０３を反射板ヒンジ部１０１を介して回動自在に支持することにより、使用者２は、ノートパソコン１の操作環境に応じて、反射板１０３を所望の角度に設定し、バックライトユニット２０からの光を所望方向に照明することができる。
【００８１】
【発明の効果】
本発明の情報処理装置によれば、導光板が、表示面の下方に設けられる光源部から出射される光を上方に導光し、導光した光を表示面および上方に出射し、表示面の上方に設けられる反射板が、導光された光の一部である、上方に出射された光を反射して照明するようにしたので、操作性を損なうことなく、バックライトの光を利用して操作部を均一に照明することができる。
【図面の簡単な説明】
【図１】従来のノートパソコンの外観の構成例を示す図である。
【図２】図１のノートパソコンの部分拡大断面図を示す図である。
【図３】液晶表示モジュールの分解斜視図である。
【図４】液晶表示モジュールの一部側面断面図である。
【図５】本発明を適用したのー路パソコンの外観斜視図である。
【図６】図５のノートパソコンのＡ−Ａ線の側面断面図である。
【図７】図６の照射部材付近の部分拡大図である。
【図８】図５のツマミおよび反射板付近の部分拡大図である。
【図９】反射板ヒンジ部とツマミとの取り付けについて説明する図である。
【図１０】照射部材の実装例を説明する図である。
【図１１】バックライトユニットからの光を利用してキーボードを照明する動作を説明する図である。
【図１２】冷陰極蛍光灯を液晶パネルの上方に配置した場合の構成例を示す図である。
【図１３】冷陰極蛍光灯を液晶パネルの上方に配置した場合の他の構成例を示す図である。
【図１４】フレームの一部を照射部材に用いた例を説明する図である。
【図１５】照射部材収納部を説明するための図である。
【符号の説明】
１  ノートパソコン，  １１  本体，  １２  表示部，  １３  ヒンジ部，  １４  キーボード，  １５  液晶パネル，  ２０  バックライトユニット，  ２１  冷陰極蛍光灯，  ２２導光板，  ２３  拡散シート，  ２４  リフレクタ，４１，４２  フレキシブルプリント基板，  ４３  駆動回路基板，  ４４  フレーム，  ４４Ａ  開口部，  ４６  レンズシート，  ４７  反射シート，  ４８  ゴムブッシュ，  ４９  コネクタ，  ５０  モールド，  ５０Ａ  開口部，５１，５２  ケーブル，  ７１  偏光板，  ７２，７３  ガラス基板，  ７４偏光板，  ８１  半導体集積回路装置，  ８２  反射体，  ９１  ツマミ，  １００  照射部材，  １０１−１  反射板ヒンジ部，  １０１−１１，１０１−１２  係合部，  １０１−１１Ａ，１０１−１２Ａ  孔部，  １０１−１３  溝部，  １０１−２  反射板ヒンジ部，  １０１−２０  係合部，  １０１−２１，１０１−２２  孔部，  １０２−１，１０２−２，  反射板，  １０２−３  折り曲げ部，  １０３  反射板，  １０４  拡散板，  １１１  軸棒，  １３１反射板，  １４１  照射部材収納部
【図１】
0003669324.tif 000002
【図２】
0003669324.tif 000003
【図３】
0003669324.tif 000004
【図４】
0003669324.tif 000005
【図５】
0003669324.tif 000006
【図６】
0003669324.tif 000007
【図７】
0003669324.tif 000008
【図８】
0003669324.tif 000009
【図９】
0003669324.tif 000010
【図１０】
0003669324.tif 000011
【図１１】
0003669324.tif 000012
【図１２】
0003669324.tif 000013
【図１３】
0003669324.tif 000014
【図１４】
0003669324.tif 000015
【図１５】
0003669324.tif 000016